(57)【特許請求の範囲】
【請求項１】
地下に対して集水または放水する壁内井戸の内部に挿入され、前記壁内井戸を地下に沈設させるウェイトであって、
略棒状の調整部材と、
前記調整部材を挿入可能な挿入穴が形成されたウェイト本体部と、
前記挿入穴へ挿入された前記調整部材の前記挿入穴からの突出長さを固定する固定手段と、
を備えたことを特徴とするウェイト。
【請求項２】
前記固定手段は、
前記調整部材に設けられ、該調整部材の長手方向に移動可能な位置調節部材と、
前記ウェイト本体部に着脱自在に取り付けられ、前記位置調節部材を前記ウェイト本体部に固定する固定部材と、
を備えたことを特徴とする請求項１に記載のウェイト。
【請求項３】
地下に対して集水または放水する壁内井戸本体部と、前記壁内井戸本体部に連結され、前記集水または放水の際の水の流通路を形成するシャフト管と、を備えた壁内井戸と、
略棒状の調整部材と、前記調整部材を挿入可能な挿入穴が形成されたウェイト本体部と、前記挿入穴へ挿入された前記調整部材の前記挿入穴からの突出長さを固定する固定手段と、を備え、前記壁内井戸本体部に設けられた挿通穴内および前記シャフト管内に挿通されて、前記調整部材の下端部が前記挿通穴の底部に当接するウェイトと、
前記ウェイトに連結され、前記シャフト管の前記壁内井戸本体と連結する側の端部と異なる側の端部に接続可能な連結部材と、
からなり、
前記壁内井戸が立設された状態における前記シャフト管の天端部から前記ウェイトの天端部までの距離が、所定範囲の値を有することを特徴とする壁内井戸沈設時構造体。
【請求項４】
前記固定手段は、
前記調整部材に設けられ、該調整部材の長手方向に移動可能な位置調節部材と、
前記ウェイト本体部に着脱自在に取り付けられ、前記位置調節部材を前記ウェイト本体部に固定する固定部材と、
を備えたことを特徴とする請求項３に記載の壁内井戸沈設時構造体。
【発明の詳細な説明】
【技術分野】
【０００１】
本発明は、地下構造物の施工後において地下水流を確保する壁内井戸を沈設するためのウェイトおよびこのウェイトを用いた壁内井戸沈設時構造体に関するものである。
【背景技術】
【０００２】
地下水流がある地盤に、その流れを横切るように土留め壁などで囲まれた不透水性の構造物を構築した場合、当該構造物が地下ダムのような機能を生じ、上流側では地下水位の上昇が起こり、下流側では地下水位の低下が起こる。この結果、上流側では構造物への浸水等の影響が生じ、下流側では井戸枯れや地盤沈下が生じるおそれがある。そこで、この土留め壁などの地中壁内部に、集水または放水の機能等を有する壁内井戸を構造物の上流側と下流側とに沈設することによって上流から下流へ地下水を流通させ上記問題を対処している。
【０００３】
従来用いられている壁内井戸は、地中壁に当接し、地中壁の外部に対して集水または放水を行なう壁内井戸本体部（容器）と、ポンプと接続し、集水または放水される水を流通させるシャフト管（集水管）とを少なくとも備える（例えば、特許文献１参照）。壁内井戸は、地中壁によって形成された空間を充填するソイルセメントが固化する前にソイルセメント内に沈設され、壁内井戸本体部を地中壁に圧接させて地中側との水分の流通を確保する。この際、シャフト管に所定質量のウェイトを挿通して自重を大きくすることによって壁内井戸沈設時構造体を構成し、壁内井戸をソイルセメント内に沈降させている。この壁内井戸を用いることによって、不透水性の構造物を構築した場合においても地下水の流通を確保することができる。
【０００４】
ウェイトは、クレーン等と連結するワイヤ等からなる連結部材を有する。連結部材は、壁内井戸沈設後にクレーンと連結するため、ウェイトのシャフト管への挿通方向の後端側に設けられ、ウェイトがシャフト管に挿通されている際に、連結部材のウェイトと連結しない側の端部が、シャフト管の天端部側に接続されている。ウェイトは、壁内井戸沈設後、連結部材によってクレーン等で回収され、他の壁内井戸沈設に繰り返し用いられる。
【０００５】
上述した壁内井戸においては、ソイルセメント内に沈設する際、壁内井戸の種類や沈設位置、ソイルセメントから加わる浮力等に応じて、シャフト管に挿通するウェイトの質量を変えている。ここで、ウェイトの質量は、長さや材質に応じて定まる。
【先行技術文献】
【特許文献】
【０００６】
【特許文献１】特開２００４−２３２３０６号公報
【発明の概要】
【発明が解決しようとする課題】
【０００７】
ところで、壁内井戸の長さは、沈設位置における地下水流の深さ等の条件に応じて定められる。このため、実際の現場では、様々な長さを有する多数の壁内井戸が必要とされる。このような状況下においては、一つのウェイトを、なるべく多くの壁内井戸間で使いまわせるようにするのが好ましい。しかしながら、異なる長さを有する複数の壁内井戸間で一つのウェイトを使いまわせるようにするには、壁内井戸の長さに応じて連結部材の長さを調節しなければならなかった。また、一つのウェイトで使いまわせる壁内井戸の長さの範囲は限られていた。
【０００８】
本発明は、上記に鑑みてなされたものであって、壁内井戸を沈設する際に連結部材の長さを調節する必要がなく、適用可能な壁内井戸の長さの範囲が広いウェイトおよび壁内井戸沈設時構造体を提供することを目的とする。
【課題を解決するための手段】
【０００９】
上述した課題を解決し、目的を達成するために、本発明にかかるウェイトは、地下に対して集水または放水する壁内井戸の内部に挿入され、前記壁内井戸を地下に沈設させるウェイトであって、略棒状の調整部材と、前記調整部材を挿入可能な挿入穴が形成されたウェイト本体部と、前記挿入穴へ挿入された前記調整部材の前記挿入穴からの突出長さを固定する固定手段と、を備えたことを特徴とする。
【００１０】
また、本発明にかかるウェイトは、上記の発明において、前記固定手段は、前記調整部材に設けられ、該調整部材の長手方向に移動可能な位置調節部材と、前記ウェイト本体部に着脱自在に取り付けられ、前記位置調節部材を前記ウェイト本体部に固定する固定部材と、を備えたことを特徴とする。
【００１１】
上述した課題を解決し、目的を達成するために、本発明にかかる壁内井戸沈設時構造体は、地下に対して集水または放水する壁内井戸本体部と、前記壁内井戸本体部に連結され、前記集水または放水の際の水の流通路を形成するシャフト管と、を備えた壁内井戸と、略棒状の調整部材と、前記調整部材を挿入可能な挿入穴が形成されたウェイト本体部と、前記挿入穴へ挿入された前記調整部材の前記挿入穴からの突出長さを固定する固定手段と、を備え、前記壁内井戸本体部に設けられた挿通穴内および前記シャフト管内に挿通されて、前記調整部材の下端部が前記挿通穴の底部に当接するウェイトと、前記ウェイトに連結され、前記シャフト管の前記壁内井戸本体と連結する側の端部と異なる側の端部に接続可能な連結部材と、からなり、前記壁内井戸が立設された状態における前記シャフト管の天端部から前記ウェイトの天端部までの距離が、所定範囲の値を有することを特徴とする。
【００１２】
また、本発明にかかる壁内井戸沈設時構造体は、上記の発明において、前記固定手段は、前記調整部材に設けられ、該調整部材の長手方向に移動可能な位置調節部材と、前記ウェイト本体部に着脱自在に取り付けられ、前記位置調節部材を前記ウェイト本体部に固定する固定部材と、を備えたことを特徴とする。
【発明の効果】
【００１３】
本発明にかかるウェイトおよび壁内井戸沈設時構造体は、ウェイトに対する調整部材の位置を調整した後に固定部材によって固定することで、ウェイトからの調整部材の突出量を調整するようにしたので、壁内井戸を沈設する際に連結部材の長さを調節する必要がなく、適用可能な壁内井戸の長さの範囲を広くすることができるという効果を奏する。
【図面の簡単な説明】
【００１４】
【図１】図１は、本発明の実施の形態にかかる壁内井戸沈設時構造体の沈設を説明する図である。
【図２】図２は、本発明の実施の形態にかかる壁内井戸沈設時構造体の沈設を説明する図である。
【図３】図３は、本発明の実施の形態にかかる壁内井戸沈設時構造体の概略構成を示す模式図である。
【図４】図４は、本発明の実施の形態にかかる壁内井戸沈設時構造体のウェイトの概略構成を示す断面図である。
【図５】図５は、図４に示すウェイトのＡ−Ａ線断面図である。
【図６】図６は、本発明の実施の形態にかかる壁内井戸沈設時構造体の概略構成を示す部分断面図である。
【図７】図７は、本実施の形態にかかるウェイトを図６とは異なる壁内井戸に適用した例を示す部分断面図である。
【図８】図８は、本実施の形態にかかるウェイトを図６，７とは異なる壁内井戸に適用した例を示す部分断面図である。
【発明を実施するための形態】
【００１５】
以下、本発明を実施するための形態を図面と共に詳細に説明する。なお、以下の実施の形態により本発明が限定されるものではない。また、以下の説明において、各図は本発明の内容を理解でき得る程度に形状、大きさ、および位置関係を概略的に示してあるに過ぎず、従って、本発明は各図で例示された形状、大きさ、および位置関係のみに限定されるものではない。
【００１６】
まず、本発明の実施の形態にかかる壁内井戸沈設時構造体について説明する。図１，２は、本発明の実施の形態にかかる壁内井戸沈設時構造体１の沈設を説明する図である。壁内井戸は、壁内井戸沈設時構造体１からウェイト２が抜き出されて構成されるものであって、少なくとも、地中壁に当接し、地中壁の地中側の集水または放水を行なう壁内井戸本体部１０と、図示しないポンプと接続し、集水または放水される水を流通させるシャフト管１１とを備える。
【００１７】
図１において、壁内井戸沈設時構造体１は、クレーン１００のワイヤ１０１に吊り下げられた状態で、地中壁２００内に沈設される。なお、このとき、地中壁２００に囲まれた空間内には固化前のソイルセメント等が充填されている。壁内井戸沈設時構造体１は、壁内井戸構造体１の自重等によって地中壁２００内に沈設される。
【００１８】
壁内井戸沈設時構造体１を地中壁２００内に沈設後、図２に示すように、壁内井戸本体部１０に接続されたシャフト管１１内に挿通されているウェイト２が、ウェイト２と連結しているワイヤ３を介し、ワイヤ１０１によってシャフト管１１外部に取り出される。
【００１９】
図３は、壁内井戸沈設時構造体１の概略構成を示す模式図である。また、図４は、ウェイト２の概略構成を示す断面図である。図５は、図４のＡ−Ａ線断面図である。壁内井戸沈設時構造体１は、図３に示すように、上述した壁内井戸本体部１０およびシャフト管１１と、シャフト管１１に挿通される所定質量のウェイト２と、ウェイト２をシャフト管１１から抜き出す際にクレーン１００のワイヤ１０１と接続し、ウェイト２を回収するための連結部材としてのワイヤ３と、シャフト管１１に係止され、ワイヤ３と連結する蓋４と、を備える。
【００２０】
壁内井戸本体部１０は、地中壁に当接し、地中壁の地中側の集水または放水を行なう本体部１０ａと、本体部１０ａに接続され、接続される側と反対側の端部外周にフランジ部１０ｃが設けられるソケット１０ｂとを備える。本体部１０ａおよびソケット１０ｂには、ウェイト２の一部を挿通可能な挿通穴１０ｄが連通して設けられている。
【００２１】
シャフト管１１は、挿通穴１０ｄと同径の挿通穴１１ａと、シャフト管１１の両端部外周にそれぞれ設けられ、シャフト管１１が延びる方向と垂直な方向に突出し、ソケット１０ｂ（フランジ部１０ｃ）、蓋４とそれぞれ接続されるフランジ部１１ｂ，１１ｃとを備える。
【００２２】
ウェイト２は、図４，５に示すように、略柱状のウェイト本体部２０と、ウェイト本体部２０に挿入される円柱状の調整部材２１と、調整部材２１に螺合された位置調節部材としてのナット２２と、調整部材２１のウェイト本体部２０からの離脱を防止する固定部材としてのプレート２３とを備える。ウェイト２は、鉄等の金属を用いて形成され、所定の質量を有する。なお、ナット２２およびプレート２３によって固定手段を構成する。また、ウェイト２は、機械構造用炭素鋼を用いて形成してもよい。
【００２３】
ウェイト本体部２０は、調整部材２１を挿入する段付き穴形状の挿入穴を有する。挿入穴は、ウェイト本体部２０の一方の端部から長手方向に延びる第１挿入穴２０ａと、第１挿入穴２０ａと同軸をなして連通し、第１挿入穴２０ａと比して小さい径の第２挿入穴２０ｂとを有する。また、ウェイト本体部２０は、ワイヤ３と接続するためのフック２０ｃと、プレート２３を挿入可能なプレート挿入穴２０ｄとを有する。なお、フック２０ｃは、調整部材２１のウェイト本体部２０の挿通されない側の端部に設けられてもよい。また、第２挿入穴２０ｂの壁面は、調整部材２１と螺合しない曲面形状をなす。
【００２４】
調整部材２１は、第２挿入穴２０ｂの径と比して若干小さい径の略棒状をなしている。また、調整部材２１の側面には、ナット２２と螺合可能なねじ山が設けられている。
【００２５】
ナット２２は、角柱状をなし、ウェイト２の長手方向と垂直な方向の径は、第１挿入穴２０ａの径より小さく、第２挿入穴２０ｂの径より大きい。
【００２６】
プレート２３は、図５に示すように、主面がＵ字形状をなす板状の部材からなり、内周部で調節部材２１を保持することが可能である。なお、プレート２３は、ウェイト本体部２０のプレート挿入穴２０ｄに挿入された際に、ウェイト本体部２０の外周から突出しないことが好ましい。
【００２７】
ウェイト本体部２０に調整部材２１が挿入されると、ナット２２が第１挿入穴２０ａと第２挿入穴２０ｂとの境界壁面に当接する。プレート挿入穴２０ｄは、この境界壁面からナット２２の長手方向の長さ以上離れた開口側に設けられる。ナット２２は、プレート挿入穴２０ｄにプレート２３が挿入されることによって、第１挿入穴２０ａと第２挿入穴２０ｂとの境界壁面およびプレート２３に挟持されて、調整部材２１がウェイト本体部２０から離脱することが防止される。
【００２８】
蓋４は、図３に示すように、フランジ部１１ｃと当接し、ねじ等によってフランジ部１１ｃと接続されるフランジ部４１と、クレーン１００のワイヤ１０１の端部が掛止されるフック４２とを備える。フランジ部４１は、シャフト管１１側の面でワイヤ３と接続する。
【００２９】
上述した壁内井戸沈設時構造体１においては、調整部材２１に螺合したナット２２を回転させて位置を調整した後、ウェイト本体部２０にプレート２３を挿入して調整部材２１の位置を固定することで、ウェイト本体部２０からの調整部材２１の突出量を調整することができる。
【００３０】
なお、壁内井戸沈設時構造体１の壁内井戸本体部１０、シャフト管１１および蓋４は、フランジ部１０ｃおよび１１ｂ、フランジ部１１ｃ，４１に形成された孔を介してボルトおよびナットによって連結される。また、壁内井戸は、壁内井戸本体部１０およびシャフト管１１に設けられたフィルタの洗浄またはフィルタ材の充填・交換を行なう洗浄管等を備えてもよい。
【００３１】
図６は、上述した壁内井戸沈設時構造体１を示す部分断面図である。図６に示す壁内井戸沈設時構造体１では、壁内井戸本体部１０のウェイト２の挿通方向の長さがＤａ１であって、シャフト管１１のウェイト２の挿通方向の長さがＤｂ１である場合を示している。このとき、ウェイト２では、図４に示すナット２２を回転させて、調整部材２１の下端部が壁内井戸本体部１０の挿通穴１０ｄの底部に当接している状態で、ウェイト２の蓋４側の端部（立設された状態における天端部）からシャフト管１１の蓋４側の端部（立設された状態における天端部）までの長さが距離ｄとなるように調整部材２１のウェイト本体部２０からの突出長さが調整されている。
【００３２】
また、図７は、本実施の形態にかかるウェイト２を図６とは異なる壁内井戸に適用した例を示す部分断面図である。図７に示す壁内井戸沈設時構造体１ａは、壁内井戸本体部１２およびシャフト管１１と、シャフト管１１に挿通される所定質量のウェイト２と、ウェイト２をシャフト管１１から抜き出す際にクレーン１００のワイヤ１０１と接続するワイヤ３と、シャフト管１１に係止され、ワイヤ３と連結する蓋４とを備える。壁内井戸本体部１２は、上述した本体部１０ａ、ソケット１０ｂ、フランジ部１０ｃ、挿通穴１０ｄに対応する本体部１２ａ、ソケット１２ｂ、フランジ部１２ｃ、挿通穴１２ｄを備える。
【００３３】
図７に示す壁内井戸沈設時構造体１ａでは、壁内井戸本体部１２の本体部１２ａのウェイト２の挿通方向の長さがＤａ２となっている。このとき、ウェイト２では、図４に示すナット２２を回転させて、ウェイト２の蓋４側の端部（立設された状態における天端部）からシャフト管１１の蓋４側の端部（立設された状態における天端部）までの長さが距離ｄとなるように調整部材２１のウェイト本体部２０からの突出長さが調整されている。
【００３４】
図８は、本実施の形態にかかるウェイト２を図６，７とは異なる壁内井戸に適用した例を示す部分断面図である。図８に示す壁内井戸沈設時構造体１ｂは、壁内井戸本体部１０およびシャフト管１３と、シャフト管１３に挿通される所定質量のウェイト２と、ウェイト２をシャフト管１３から抜き出す際にクレーン１００のワイヤ１０１と接続するワイヤ３と、シャフト管１３に係止され、ワイヤ３と連結する蓋４とを備える。シャフト管１３は、上述した挿通穴１１ａと、フランジ部１１ｂ，１１ｃに対応する挿通穴１３ａと、フランジ部１３ｂ，１３ｃを備える。
【００３５】
図８に示す壁内井戸沈設時構造体１ｂでは、シャフト管１３のウェイト２の挿通方向の長さがＤｂ２となっている。この場合も、ウェイト２では、図４に示すナット２２を回転させて、ウェイト２の蓋４側の端部（立設された状態における天端部）からシャフト管１３の蓋４側の端部（立設された状態における天端部）までの長さが距離ｄとなるように調整部材２１のウェイト本体部２０からの突出長さが調整されている。
【００３６】
上述した本実施の形態にかかる壁内井戸沈設時構造体では、ウェイト端部からの調整部材の突出長さを変えることによってウェイト全体の長さを調節することで、壁内井戸本体部およびシャフト管の長さに因らず、ウェイトの天端部からシャフト管の天端部までの長さを一定の長さとすることができるため、壁内井戸本体部およびシャフト管の長さに応じてウェイト回収用のワイヤの長さを変える必要なく、適用可能な壁内井戸の長さの範囲を広くすることが可能となる。また、ウェイト自体の長さが調節できるため、壁内井戸本体部およびシャフト管の長さに対応させて製造する必要がなく、同一質量における長さの異なるウェイトの種類を削減することができる。
【００３７】
ここで、ウェイトの天端部からシャフト管の天端部までの距離が長い場合、壁内井戸沈設時構造体が立設された状態でウェイト回収用のワイヤが落下すると、ウェイト回収用のワイヤのシャフト管からの取出しが困難となる。この問題に対しても、本実施の形態にかかる壁内井戸沈設時構造体は、ウェイトの天端部からシャフト管の天端部までの距離を所定距離、例えば、０．６〜０．８メートルの範囲に調節するため、壁内井戸沈設時構造体が立設された状態でウェイト回収用のワイヤが落下した場合でもウェイト回収用のワイヤを容易に取り出すことができる。
【００３８】
なお、本実施の形態では、１つのナットを調整部材に固定するものとして説明したが、使用するナットは複数有してもよい。複数個のナットを調整部材に用いることで、振動等の外力によるナットの回転によって調整部材の突出長さが変わることを防止することができる。また、挿入穴の断面形状がナットの断面形状と同様の形状をなすように形成し、挿入穴がナットを回転しないように保持することによって固定するようにしてもよい。
【００３９】
本実施の形態にかかる固定部材は、ナットとそのナットを支持するプレートであるものとして説明したが、ナットを用いずに、ウェイト本体部側面に孔を設け、長手方向に垂直な方向から固定部材としてのねじを挿通して調整部材に圧接させて調製部材を固定するものであってもよい。
【００４０】
また、本実施の形態では、シャフト管およびウェイトが１つの構成であるものとして説明したが、シャフト管が複数本連結されてなる構成であってもよいし、ウェイトが複数本連結されて質量調整されている構成であってもよい。ウェイトが複数の場合、少なくとも１つのウェイトが本実施の形態にかかるウェイトであれば、空隙の長さを調節することができる。
【００４１】
また、ウェイトの壁内井戸本体部およびシャフト管内への挿通は、ウェイトの端部および調整部材の端部のどちらを先端としてもよい。ここで、ウェイトの端部を先端として壁内井戸本体部およびシャフト管内へ挿通する場合、図４に示すフック２０ｃは、調整部材２１のウェイト本体部２０の挿入穴に挿入されない側の端部に設けられる。
【００４２】
以上のように、上述の実施の形態にかかる壁内井戸沈設時構造体は、例えば、沈設するための質量調整を行なうウェイトを用いるものに有用である。
【符号の説明】
【００４３】
１，１ａ，１ｂ  壁内井戸沈設時構造体
２  ウェイト
３，１０１  ワイヤ
４  蓋
１０，１２  壁内井戸本体部
１０ａ，１２ａ  本体部
１０ｂ，１２ｂ  ソケット
１０ｃ，１１ｂ，１１ｃ，１２ｃ，１３ｂ，１３ｃ，４１  フランジ部
１１，１３  シャフト管
２０  ウェイト本体部
２０ａ  第１挿入穴
２０ｂ  第２挿入穴
２０ｃ，４２  フック
２０ｄ  プレート挿入穴
２１  調整部材
２２  ナット
２３  プレート
１００  クレーン
【図１】
0005500525.tif 000002
【図２】
0005500525.tif 000003
【図３】
0005500525.tif 000004
【図４】
0005500525.tif 000005
【図５】
0005500525.tif 000006
【図６】
0005500525.tif 000007
【図７】
0005500525.tif 000008
【図８】
0005500525.tif 000009